【手続補正書】
【提出日】平成18年3月3日(2006.3.3)
【手続補正１】
【補正対象書類名】明細書
【補正対象項目名】発明の名称
【補正方法】変更
【補正の内容】
【発明の名称】基準振幅レベル設定装置とビタビ復号装置および基準振幅レベル設定方法とビタビ復号方法
【手続補正２】
【補正対象書類名】明細書
【補正対象項目名】特許請求の範囲
【補正方法】変更
【補正の内容】
【特許請求の範囲】
【請求項１】 符号間干渉長がｎの任意の等化特性ＰＲ（ｐａ［０］，ｐａ［１］，・・・，ｐａ［ｎ−１］）を使ってビタビ復号を行う際に、基準振幅レベルを設定する基準振幅レベル設定装置において、
外部から与えられたｐａ［０］，ｐａ［１］，・・・，ｐａ［ｎ−１］から等化特性のＤＣ成分を求めるＤＣ成分計算手段と、
入力された記録データと、前記等化特性との畳み込み演算を行い、前記畳み込み演算の結果から前記ＤＣ成分を減算して、前記基準振幅レベルを設定する基準振幅レベル設定手段と、
を有することを特徴とする基準振幅レベル設定装置。
【請求項２】 前記ＤＣ成分計算手段は、等化特性のＤＣ成分ａｖｒをａｖｒ＝（ｐａ［０］＋ｐａ［１］＋・・・＋ｐａ［ｎ−１］）／２で表される式で計算して、前記ＤＣ成分を求めることを特徴とする請求項１記載の基準振幅レベル設定装置。
【請求項３】 前記基準振幅レベル設定手段は、定数Ａにもとづいて、０または１からなる連続した記録データ... ｉｊｋｌｍによって定義される状態Ｓ... ｉｊｋｌから状態Ｓ... ｉｋｌｍへの状態推移の基準振幅レベルＣ... ｉｊｋｌｍを、Ｃ... ｉｊｋｌｍ＝Ａ＊（・・・＋ｉ＊ｐａ［４］＋ｊ＊ｐａ［３］＋ｋ＊ｐａ［２］＋ｌ＊ｐａ［１］＋ｍ＊ｐａ［０］−ａｖｒ）
で表される式で計算して、前記基準振幅レベルを設定することを特徴とする請求項２記載の基準振幅レベル設定装置。
【請求項４】 再生信号と基準振幅レベルが入力されて、ビタビ復号を行うビタビ復号装置において、ＡＤ変換された再生信号ｚ［ｋ］の等化特性が、符号間干渉長ｍを持つＰＲ（ｅｑ［０］，ｅｑ［１］，・・・，ｅｑ［ｍ−１］）であり、ビタビ復号に用いる等化特性が符号間干渉長ｎのＰＲ（ｐａ［０］，ｐａ［１］，・・・，ｐａ［ｎ−１］）であった場合、前記ＰＲ（ｅｑ［０］，ｅｑ［１］，・・・，ｅｑ［ｍ−１］）を前記ＰＲ（ｐａ［０］，ｐａ［１］，・・・，ｐａ［ｎ−１］）に変換するためのパラメータｐｒ［０］，ｐｒ［１］，・・・，ｐｒ［ｎ−ｍ］を用いて、再生信号を求める再生信号計算手段と、
外部から与えられたｐａ［０］，ｐａ［１］，・・・，ｐａ［ｎ−１］から等化特性のＤＣ成分を求めるＤＣ成分計算手段と、
入力された記録データと、前記等化特性との畳み込み演算を行い、前記畳み込み演算の結果から前記ＤＣ成分を減算して、前記基準振幅レベルを設定する基準振幅レベル設定手段と、
を有することを特徴とするビタビ復号装置。
【請求項５】 前記再生信号計算手段は、再生信号ｐｂ［ｋ］をｐｂ［ｋ］＝・・・＋ｚ［ｋ−２］＊ｐｒ［２］＋ｚ［ｋ−１］＊ｐｒ［１］＋ｚ［ｋ］＊ｐｒ［０］
と表される式で計算して、前記再生信号を求めることを特徴とする請求項４記載のビタビ復号装置。
【請求項６】 前記ＤＣ成分計算手段は、等化特性のＤＣ成分ａｖｒをａｖｒ＝（ｐａ［０］＋ｐａ［１］＋・・・＋ｐａ［ｎ−１］）／２で表される式で計算して、前記ＤＣ成分を求める
ことを特徴とする請求項４記載のビタビ復号装置。
【請求項７】 前記基準振幅レベル設定手段は、定数Ａにもとづいて、０または１からなる連続した記録データ... ｉｊｋｌｍによって定義される状態Ｓ... ｉｊｋｌから状態Ｓ... ｊｋｌｍへの状態推移の基準振幅レベルＣ... ｉｊｋｌｍを、Ｃ... ｉｊｋｌｍ＝Ａ＊（・・・＋ｉ＊ｐａ［４］＋ｊ＊ｐａ［３］＋ｋ＊ｐａ［２］＋ｌ＊ｐａ［１］＋ｍ＊ｐａ［０］−ａｖｒ）
で表される式で計算して、前記基準振幅レベルを設定する
ことを特徴とする請求項６記載のビタビ復号装置。
【請求項８】 符号間干渉長がｎの任意の等化特性ＰＲ（ｐａ［０］，ｐａ［１］，・・・，ｐａ［ｎ−１］）を使ってビタビ復号を行う際に、基準振幅レベルを設定する基準振幅レベル設定方法において、
外部から与えられたｐａ［０］，ｐａ［１］，・・・，ｐａ［ｎ−１］から等化特性のＤＣ成分を求めるステップと、
入力された記録データと、前記等化特性との畳み込み演算を行い、前記畳み込み演算の結果から前記ＤＣ成分を減算して、前記基準振幅レベルを設定するステップと、
を有することを特徴とする基準振幅レベル設定方法。
【請求項９】 再生信号と基準振幅レベルが入力されて、ビタビ復号を行うビタビ復号方法において、
ＡＤ変換された再生信号ｚ［ｋ］の等化特性が、符号間干渉長ｍを持つＰＲ（ｅｑ［０］，ｅｑ［１］，・・・，ｅｑ［ｍ−１］）であり、ビタビ復号に用いる等化特性が符号間干渉長ｎのＰＲ（ｐａ［０］，ｐａ［１］，・・・，ｐａ［ｎ−１］）であった場合、前記ＰＲ（ｅｑ［０］，ｅｑ［１］，・・・，ｅｑ［ｍ−１］）を前記ＰＲ（ｐａ［０］，ｐａ［１］，・・・，ｐａ［ｎ−１］）に変換するためのパラメータｐｒ［０］，ｐｒ［１］，・・・，ｐｒ［ｎ−ｍ］を用いて、再生信号を求めるステップと、
外部から与えられたｐａ［０］，ｐａ［１］，・・・，ｐａ［ｎ−１］から等化特性のＤＣ成分を求めるステップと、
入力された記録データと、前記等化特性との畳み込み演算を行い、前記畳み込み演算の結果から前記ＤＣ成分を減算して、前記基準振幅レベルを設定するステップと、
を有することを特徴とするビタビ復号方法。
【手続補正３】
【補正対象書類名】明細書
【補正対象項目名】０００１
【補正方法】変更
【補正の内容】
【０００１】
【発明の属する技術分野】
本発明は基準振幅レベル設定装置とビタビ復号装置および基準振幅レベル設定方法とビタビ復号方法に関し、特に符号間干渉長がｎの任意の等化特性ＰＲ（ｐａ［０］，ｐａ［１］，・・・，ｐａ［ｎ−１］）を使ってビタビ復号を行う際に、基準振幅レベルを設定する基準振幅レベル設定装置と基準振幅レベル設定方法及び再生信号と基準振幅レベルが入力されて、ビタビ復号を行うビタビ復号装置とビタビ復号方法に関する。基準振幅レベル設定装置とビタビ復号装置および基準振幅レベル設定方法とビタビ復号方法は、例えばビデオテープレコーダや光ディスク装置等に適用される。
【手続補正４】
【補正対象書類名】明細書
【補正対象項目名】００１３
【補正方法】変更
【補正の内容】
【００１３】
本発明はこのような点に鑑みてなされたものであり、等化特性のパラメータを入力するだけで、基準振幅レベルを自動的に計算して効率よく設定する基準振幅レベル設定装置と基準振幅レベル設定方法を提供することを目的とする。
【手続補正５】
【補正対象書類名】明細書
【補正対象項目名】００１４
【補正方法】変更
【補正の内容】
【００１４】
また、本発明の他の目的は、任意の等化特性に対応して、高精度にビタビ復号を行うビタビ復号装置とビタビ復号方法を提供することである。
【手続補正６】
【補正対象書類名】明細書
【補正対象項目名】００１５
【補正方法】変更
【補正の内容】
【００１５】
【課題を解決するための手段】
本発明では上記課題を解決するために、符号間干渉長がｎの任意の等化特性ＰＲ（ｐａ［０］，ｐａ［１］，・・・，ｐａ［ｎ−１］）を使ってビタビ復号を行う際に、基準振幅レベルを設定する基準振幅レベル設定装置において、外部から与えられたｐａ［０］，ｐａ［１］，・・・，ｐａ［ｎ−１］から等化特性のＤＣ成分を求めるＤＣ成分計算手段と、入力された記録データと、前記等化特性との畳み込み演算を行い、前記畳み込み演算の結果から前記ＤＣ成分を減算して、前記基準振幅レベルを設定する基準振幅レベル設定手段と、を有することを特徴とする基準振幅レベル設定装置が提供される。また、符号間干渉長がｎの任意の等化特性ＰＲ（ｐａ［０］，ｐａ［１］，・・・，ｐａ［ｎ−１］）を使ってビタビ復号を行う際に、基準振幅レベルを設定する基準振幅レベル設定方法において、外部から与えられたｐａ［０］，ｐａ［１］，・・・，ｐａ［ｎ−１］から等化特性のＤＣ成分を求めるステップと、入力された記録データと、前記等化特性との畳み込み演算を行い、前記畳み込み演算の結果から前記ＤＣ成分を減算して、前記基準振幅レベルを設定するステップと、を有することを特徴とする基準振幅レベル設定方法が提供される。
【手続補正７】
【補正対象書類名】明細書
【補正対象項目名】００４９
【補正方法】変更
【補正の内容】
【００４９】
【発明の効果】
以上説明したように、本発明では、外部から与えられたｐａ［０］，ｐａ［１］，・・・，ｐａ［ｎ−１］から等化特性のＤＣ成分を求め、入力された記録データと、等化特性との畳み込み演算を行い、畳み込み演算の結果からＤＣ成分を減算して、基準振幅レベルを設定する構成とした。これにより、等化特性のパラメータを入力するだけで、効率よく基準振幅レベルが計算されるので、ビタビ復号に対して、最適な等化特性を使って識別することが可能となり、エラーレートの低減及び高密度化を実現することが可能になる。
【手続補正８】
【補正対象書類名】明細書
【補正対象項目名】００５０
【補正方法】変更
【補正の内容】
【００５０】
また、本発明では、入力した等化特性に対応した再生信号及び基準振幅レベルにもとづいて、ビタビ復号を行う構成とした。これにより、等化特性のパラメータを入力するだけで、効率よく再生信号及び基準振幅レベルが計算されるので、最適な等化特性を使って識別することが可能となり、エラーレートの低減及び高密度化を実現することが可能になる。